(57)【特許請求の範囲】
【請求項１】
複数個のガスバーナを備え、作動用電源として乾電池を内蔵するガスコンロ装置であって、各ガスバーナ毎に設けた火力調節装置には、電動アクチュエータによってガスバーナへ供給するガスの流量を増減してガスバーナの火力を調節する火力調節部と、この火力調節部に対して直列に接続され、閉弁方向に付勢された弁体を開弁状態で吸着保持する電磁安全弁とが設けられ、点火時には手動操作によって上記電磁安全弁の弁体を強制的に開弁させてガスバーナへのガスの供給を開始させるように構成されており、いずれかの火力調節装置の火力調節部が開度変更動作を行っている状態で、他の火力調節装置に対して点火操作が行われると、その点火操作が行われた火力調節装置に対応するガスバーナの点火が完了するまで、開度変更動作を中断するとともに、上記火力調節装置に対して 消火操作が行われると、次回の点火に備えて上記電動アクチュエータによって火力調節部の開度を点火火力に相当する開度に変更するように構成されており、いずれかの火力調節装置の火力調節部が消火時における開度変更動作を行っている状態で、他の火力調節装置に対して点火操作が行われると、その点火操作が行われた火力調節装置に対応するガスバーナの点火が完了するまで、上記開度変更動作を中断することを特徴とするガスコンロ装置。
【発明の詳細な説明】
【技術分野】
【０００１】
本発明は、乾電池を作動用電源とし、点火操作を手動で行い、その後の火力調節動作は電動アクチュエータによって行うガスコンロ装置に関する。
【背景技術】
【０００２】
ガスコンロ装置は、天板上に複数のガスコンロや前面に開口するグリル庫内にグリルバーナを備えている。これら各ガスバーナの火力は個別に調節する必要があるので、各ガスバーナ毎に火力調節装置が設けられている。
【０００３】
ガスバーナに対しては、点消火動作及び火力調節動作を行う必要がある。この点消火操作と火力調節動作とを１つの操作つまみで行うものが知られている。そのような１つの操作つまみで両操作を行うものとして、例えば、操作つまみを押し込むことによりガスバーナに点火され、その状態で操作つまみを回動すると火力が調節され、再度操作つまみを押し込むと最初の位置まで戻ってガスバーナが消火するように構成されたものがある。
【０００４】
その中でも、点消火操作及び火力調節操作の双方を電動アクチュエータによって行うものが知られている（例えば、特許文献１参照）。このものでは、電動アクチュエータとしてモータが用いられ、操作つまみを押し込むと電磁弁である元弁が開弁すると共に、モータで火力調節装置の開度を最大に設定してガスバーナにガスを供給してガスバーナに点火するように構成されている。
【先行技術文献】
【特許文献】
【０００５】
【特許文献１】特開２００９−２６３２号公報（段落００５５）
【発明の概要】
【発明が解決しようとする課題】
【０００６】
上記従来のガスコンロ装置では作動用の電源として外部からの商用電力を用いている。そのため、作動用電力は比較的潤沢に使用できるので、各ガスバーナに設けられている火力調節装置のモータを複数個同時に駆動させることが可能である。
【０００７】
一方、作動用電源として乾電池を内蔵させる場合には、火力調節装置内に電磁安全弁を設けた場合、点火時に電磁安全弁の弁体をモータなどの電動アクチュエータを用いて、バネによる閉弁方向への付勢力に抗して強制的に開弁させるために多くの電力を消費するため、点火操作は手動で行い、点火後の火力調節操作をモータなどの電動アクチュエータで行うように構成することが考えられる。
【０００８】
ところが、あるガスバーナについて火力変更操作を行うと、その火力変更操作に伴って火力調節部の開度を変更後の火力に相当する開度に設定する途中で他のガスバーナに対して点火操作がされたとき、一時的に過大な電力消費が生じることを回避するため、火力調節動作による開度調節が終了するまでスパーカの作動を待機させると、電磁安全弁の弁体は手動操作によって強制的に開弁されているので、未燃焼のガスが噴出し続けるという不具合が生じる。
【０００９】
そこで本発明は、上記の問題点に鑑み、乾電池を作動用電源として点火操作を手動で行うものであっても、上述のような不具合の生じないガスコンロ装置を提供することを課題とする。
【課題を解決するための手段】
【００１０】
上記課題を解決するために本発明によるガスコンロ装置は、複数個のガスバーナを備え、作動用電源として乾電池を内蔵するガスコンロ装置であって、各ガスバーナ毎に設けた火力調節装置には、電動アクチュエータによってガスバーナへ供給するガスの流量を増減してガスバーナの火力を調節する火力調節部と、この火力調節部に対して直列に接続され、閉弁方向に付勢された弁体を開弁状態で吸着保持する電磁安全弁とが設けられ、点火時には手動操作によって上記電磁安全弁の弁体を強制的に開弁させてガスバーナへのガスの供給を開始させるように構成されており、いずれかの火力調節装置の火力調節部が開度変更動作を行っている状態で、他の火力調節装置に対して点火操作が行われると、その点火操作が行われた火力調節装置に対応するガスバーナの点火が完了するまで、開度変更動作を中断するとともに、上記火力調節装置に対して 消火操作が行われると、次回の点火に備えて上記電動アクチュエータによって火力調節部の開度を点火火力に相当する開度に変更するように構成されており、いずれかの火力調節装置の火力調節部が消火時における開度変更動作を行っている状態で、他の火力調節装置に対して点火操作が行われると、その点火操作が行われた火力調節装置に対応するガスバーナの点火が完了するまで、上記開度変更動作を中断することを特徴とする。
【００１１】
上記構成によれば、いずれかの流量調節装置について、その火力調節部の開度を変更している途中で、他のガスバーナにする対応する火力調節装置について点火操作がされた場合、火力調節部の開度の変更動作を一時的に中断して、点火を優先して行うことにより未燃焼の生ガスの噴出を防止する。
【００１２】
特に、上記火力調節装置に対して 消火操作が行われると、次回の点火に備えて上記電動アクチュエータによって火力調節部の開度を点火火力に相当する開度に変更するように構成されている場合には、いずれかの火力調節装置の火力調節部が消火時における開度変更動作を行っている状態で、他の火力調節装置に対して点火操作が行われると、その点火操作が行われた火力調節装置に対応するガスバーナの点火が完了するまで、上記消火時における開度変更動作を中断する。
【発明の効果】
【００１３】
以上の説明から明らかなように、本発明は、このように、いずれかの火力調節装置について開度変更動作中に、他のガスバーナに関して点火操作が行われても、その点火操作がされたガスバーナにすぐに点火されるので、その点火操作がされたガスバーナから、未燃焼ガスが噴出し続けることがなく、また、このガスバーナに点火が完了した後に中断されていた開度変更動作を行うことができる。
【図面の簡単な説明】
【００１４】
【図１】本発明によるガスコンロを正面から見た斜視図
【図２】ガスコンロ内の配管状態を示す図
【図３】火力調節装置の斜視図
【図４】位置センサであるマイクロスイッチの作動状態を示す図
【図５】消火動作中の制御内容を示すフロー図
【発明を実施するための形態】
【００１５】
図１を参照して、１は本発明によるガスコンロ装置の一例である。このガスコンロ装置１の上面にはガラス製の天板１１が設けられており、その天板１１には３個のガスバーナ１１ａ、１１ｂ、１１ｃが設けられている。一方、このガスコンロ１の前面パネル１２には各ガスバーナ１１ａ、１１ｂ、１１ｃの点消火操作及び火力調節操作を行うための火力調節装置１３ａ、１３ｂ、１３ｃが設けられている。また、前面パネル１２の略中央にはグリル庫１４が設けられており、グリル庫１４内には上火バーナ１４ａと下火バーナ１４ｂとが設置されている。そして、上火バーナ１４ａと下火バーナ１４ｂの点消火及び火力調節は火力調節装置１５によって行われる。
【００１６】
図２を参照して、本実施の形態では、ガスの供給管路は４本に並列に分岐され、その分岐された供給管路の各々に火力調節装置１３ａ、１３ｂ、１３ｃ，１５が設けられている。そのうちの火力調節装置１３ａを例に説明すると、火力調節装置１３ａ内には点消火を行うための開閉弁部２と火力調節を行うための火力調節部３とを備えている。
【００１７】
開閉弁部２内には手動操作により開弁される元弁２１ａと電磁安全弁の弁体２２ａとが直列に設けられている。一方、火力調節部３には電動アクチュエータとしてモータ３１が連結されており、モータ３１を駆動させることにより流量を増減するように構成されている。なお、火力調節装置１３ｂ、１３ｃは共に火力調節装置１３ａと同じ構造であるが、火力調節装置１５は開閉弁部２は同じ構造であるものの火力調節部３の構造が他のものと相違する。
【００１８】
火力調節装置１５の火力調節部３は並列な２系統に分岐され、その各々に電磁力によって開閉する開閉弁１５ａ、１５ｂが設けられ、かつ、両開閉弁１５ａ、１５ｂをバイパスするオリフィス１６が設けられている。従って、例えば開閉弁１５ａが開弁すれば上火バーナ１４ａの火力は強火になり、開閉弁１５ａが閉弁すればオリフィス１６を通るガスによって弱火になる。
【００１９】
図３および図４を参照して、引き続き火力調節装置１３ａを例に、火力調節装置１３ａの構造を説明する。
【００２０】
４は操作つまみであり、点消火時に押し込まれ、また火力調節時には外周面をつままれて回動されるものである。操作つまみ４は常に手前側に向かって付勢されている。操作つまみ４が消火位置から付勢力に抗して押し込まれると、角筒状のガイド部材５内に収納されている部材に設けられたドッグ６が、この部材と共に押されて奥側に移動する。そして、ドッグ６が設けられている部材は奥に向かって移動することにより、開閉弁部２内に収納されている電磁安全弁の弁体を強制的に開弁させて、同じく電磁安全弁内に収納されている電磁石にその弁体を押接させる。
【００２１】
図示しない制御部からその電磁石に直流電力が供給されると電磁石は励磁して弁体を開弁状態に吸着保持する。その状態で操作つまみ４に対する押し込み力を解除すると、操作つまみ４は上記付勢力によって手前側の火力調節位置まで突出する。消火する際には、操作つまみ４を消火位置を越えるまで一旦押し込んで押し込み力を解除すると、操作つまみ４は消火位置まで戻って、その位置で保持される。
【００２２】
操作つまみ４が火力調節位置まで突出している状態で操作つまみ４を回動すると、ギヤトレインを介して回転センサであるロータリーエンコーダ４１の回転軸が回転して、操作つまみ４の回動量に比例したパルス信号を上記制御部に出力する。制御部はこのパルス信号を受信すると、火力調節部３のモータ３１を駆動して、流量を調節するように構成されている。
【００２３】
ガイド部材５の正面から見て左側面にはドッグ６の前後位置によってオンオフする２つの接点を内蔵したマイクロスイッチ５１が取り付けられている。このマイクロスイッチ５１には２個の接点ＳＷ１，ＳＷ２が設けられている。接点ＳＷ１は制御部への通電を開始する位置を検知するための位置センサで有り、接点ＳＷ２は点火位置まで押し込まれていることを検知する位置センサである。
【００２４】
図４に示すように、ドッグ６が手前から奥に向かって移動すると、最初に接点ＳＷ１がＯＮになる。さらに操作つまみ４を押し込んで操作つまみ４が点火位置に到達すると、接点ＳＷ２がオンする。なお、点火位置で操作つまみ４に対する押し込み力を解除すると、上述のように操作つまみ４は火力調節位置まで手前側に後退して突出するが、ドッグ６が形成されている部材は図示しないストッパ機構によって、接点ＳＷ１がオン状態となる位置まで戻った状態で保持される。
【００２５】
図に示すように、マイクロスイッチ５１はガイド部材５の側面に形成された３本の爪５ａで抱き込まれるようにして固定されている。なお、２本の突起５ｂがマイクロスイッチ５１に形成されている取り付け穴に挿通されることによりマイクロスイッチ５１の位置決めを行っている。従って、マイクロスイッチ５１をガイド部材５に取り付ける際にネジを使用していない。
【００２６】
操作つまみ４が消火位置にある状態ではドッグ６はプランジャ部５１ａを押し下げていないので、マイクロスイッチ５１に内蔵されている接点ＳＷ１，ＳＷ２は共にオフの状態になっている（図４（ａ））。この状態から、操作つまみ４が押し込まれると、ドッグ６は後方、すなわち図４では左側に移動するので、ドッグ６は（ｂ）に示すように、プランジャ部５１ａを押し下げ、接点ＳＷ１をオンにする。この時点では、接点ＳＷ２はオフのままである。
【００２７】
さらに操作つまみ４を点火位置まで押し込むと、（ｃ）に示すように、ドッグ６はプランジャ部５１ａをさらに押し込み、接点ＳＷ２をオンにする。
【００２８】
上記接点ＳＷ１がＯＮになると、図外の制御部に通電が開始される。本実施の形態のガスコンロ１は作動用の電源として乾電池を内蔵している。すべての操作つまみ４が消火位置にある状態では、制御部を作動させる必要がないので、制御部への通電は停止している。そして、いずれかの操作つまみ４が点火すべく押し込まれると、点火位置に到達する前に、図４(ｂ)に示すように、接点ＳＷ１がオンとなって制御部に通電が開始され、続いて接点ＳＷ２がＯＮになることによって、その操作つまみ４が点火位置まで押し込まれたことを制御部が検知することになる。なお、既にいずれかの操作つまみ４が火力調節位置に有り、制御部に通電されている状態で他の操作つまみ４が押し込まれ、新たに接点ＳＷ１がオンになった場合、制御部には既に通電されているので、制御部は新たに接点ＳＷ１がオンになったことを検知する。
【００２９】
上述のように、点火の際には接点ＳＷ２がＯＮになるまで操作つまみ４を押し込むが、この押し込み操作によって電磁安全弁の弁体が強制的に開弁されると共にスパーカが作動するので、火力調節部３の開度はその時点で予め点火火力に相当する開度になっていなければならない。そのため、点火状態の操作つまみ４を再度押し込んで消火操作を行うと、接点ＳＷ１がオフになって制御部は電磁安全弁の弁体に対する吸着保持を解除してガスバーナへのガスの供給を停止するが、その時点で火力調節部３の開度が点火火力に相当する開度になっていなければ、次回の点火時に備えて火力調節部３の開度を点火火力に相当する開度に調節にしておく必要がある。そこで、あるガスバーナが点火状態から消火操作された際の制御を、図５を参照して説明する。
【００３０】
図５を参照して、消火操作がされると（Ｓ１）、その時点での火力調節部３の開度をチェックして、開度が点火火力に相当する開度である場合にはそれ以上の開度の調節は不要であるので、消火動作を終了する（Ｓ３）。
【００３１】
ただし、点火後に火力調節を行っている場合には消火操作がされた時点での開度が点火火力に相当する開度に一致していない場合が多いので、このように一致していない場合には、モータ３１を作動させて、火力調節部の開度を一旦全閉もしくは全開方向に開度を変化させてモータ３１の原点出しを行なうようにした（Ｓ４、Ｓ８）。ただし、この原点差し動作中に他のガスバーナに対して点火操作が行われると（Ｓ５）、当該他のガスバーナについて点火が完了するまで、進行中の原点出し動作を中断することとした（Ｓ６、Ｓ７）。
【００３２】
そして、火力調節部３の原点出しが完了すると、続いて火力調節部３の開度を点火火力に相当する開度になるように調節する（Ｓ９、Ｓ１３）。ただし、この開度調節動作中に他のガスバーナに対して点火操作が行われると、上述の中断と同じように、当該他のガスバーナについて点火が完了するまで、進行中の原点出し動作を中断することとした（Ｓ１１、Ｓ１２）。
【００３３】
図５において、二点鎖線で囲ったＡおよびＢの部分は共に消火に伴う動作中に他のガスバーナに対して点火操作がされたときに、点火が完了するまでその動作を中断する内容を示しており、本発明の特徴部分である。
【００３４】
ところで、上記実施の形態では、消火操作がされた場合に次回の点火時に備えて開度を点火火力に相当する開度に変更する途中で他のガスバーナに対して点火操作がされた場合について説明したが、点火中のガスバーナの火力を調節している途中で他のガスバーナに対して点火操作がされた場合にも、先行して行っていた火力調節による開度調節を一時的に中断して、後から行われた点火操作を優先させ、点火完了後に中断させていた火力調節動作を再開させる。
【００３５】
なお、本発明は上記した形態に限定されるものではなく、本発明の要旨を逸脱しない範囲内において種々の変更を加えてもかまわない。
【符号の説明】
【００３６】
１ ガスコンロ
２ 開閉弁部
３ 火力調節部
４ 操作つまみ
５ ガイド部材
１３ａ 火力調節装置
１３ｂ 火力調節装置
１５ 火力調節装置
３１ モータ
４１ ロータリーエンコーダ
５１ マイクロスイッチ
６ ドッグ
ＳＷ１ 接点
ＳＷ２ 接点
【図１】
0006052514.tif 000002
【図２】
0006052514.tif 000003
【図３】
0006052514.tif 000004
【図４】
0006052514.tif 000005
【図５】
0006052514.tif 000006